(57)【要約】【課題】  投映装置を使用した後、迅速に撤収できるようにする。【解決手段】  投映装置１０は、光源１２ａを含む光学部１２と、光学部１２を冷却するファン１４とを有する。電池４２はスイッチＳＷ３を介して光学部１２とファン１４に電力を供給する。光学部１２に電力を供給する第１の電力供給回路上には、収納具４６への収納により開放されるスイッチＳｗ１を配置する。制御部１８は、収納具４６への収納から一定時間後に、スイッチＳＷ３をオフにする。これにより、ファン１４への電力供給が遮断される。【選択図】  図２
2006301060.tif 000002
【特許請求の範囲】
【請求項１】
収納具に収納可能な投映装置であって、
光源を含む光学部と、
前記光学部を冷却する冷却装置と、
前記光学部に電力を供給する第１の電力供給回路と、
前記冷却装置に電力を供給する第２の電力供給回路と、
前記投映装置が前記収納具に収納されたことを検知する収納検知手段と、
前記収納検知手段による前記収納具への収納の検知に従い、前記第２の電力供給回路は接続したまま、前記第１の電力供給回路を切断することを特徴とする投映装置。
【請求項２】
前記収納検知手段による前記収納具への収納の検知に従い開放されるスイッチが、前記第１の電力供給回路上に配置されていることを特徴とする請求項１に記載の投映装置。
【請求項３】
前記収納検知手段が機械スイッチであることを特徴とする請求項１に記載の投映装置。
【請求項４】
更に、
前記第１の電力供給回路上に配置されるスイッチと、
前記収納検知手段の検知結果に従い、前記スイッチを制御する制御手段
とを具備することを特徴とする請求項１に記載の投映装置。
【請求項５】
前記収納検知手段が前記投映装置の外側の明るさを検知する光センサであり、前記制御手段は、前記光センサにより検知される明るさが所定値未満のときに、前記スイッチを開放することを特徴とする請求項４に記載の投映装置。
【請求項６】
前記収納検知手段が、前記収納具への収納により光路を遮断状態から透過状態又はその逆に変化するフォトインタラプタであることを特徴とする請求項４に記載の投映装置。
【請求項７】
前記収納検知手段が、収納状態の前記収納具の方向に光を照射する発光素子と、前記発光素子の出力光の前記収納状態の前記収納具からの反射光を受光する受光素子とからなることを特徴とする請求項４記載の投映装置。
【請求項８】
請求項１乃至８の何れか１項に記載の投映装置を収納する収納具であって、収納された前記投映装置の排熱開口と対向する排熱開口を具備することを特徴とする収納具。
【請求項９】
更に、前記投映装置の前記収納検知手段に収納状態で作用する手段を具備することを特徴とする請求項８に記載の収納具。
【発明の詳細な説明】
【技術分野】
【０００１】
本発明は、投映装置及びその収納具に関する。
【背景技術】
【０００２】
近年、液晶プロジェクタ等の投映装置が会議や企業の営業活動に広く利用されている。投映装置には、携帯性またはコンパクト化が求められ、偏光変換部を小さくできる液晶プロジェクタが特許文献１に記載されている。
【０００３】
また、電池で駆動する投映装置もあり、ユーザに対して電池残容量の減少を視覚的かつ遠隔的に知らせる技術が特許文献２に記載されている。
【０００４】
一方、投映装置を動作させると、投映装置内のランプ等の光源の発熱によりこれを含む光学部が高熱になり、機器内も高温となる。放置すると、発火発煙等といった安全面の問題と機器の故障等との性能面の問題が生じる。そこで、通常、、これらの機器は、ファンを搭載かつ駆動し、温度管理を行いながら安全に動作するよう設計されている。
【特許文献１】特開２００４−３６１９８０号公報
【特許文献２】特開２００３−１４９７３３号公報
【発明の開示】
【発明が解決しようとする課題】
【０００５】
近年、遠距離又は広画面への投映を要求され、発熱量が増大している。従って、投映装置を長時間使用した後に収納する場合、ファン等の冷却装置によって充分に機器内等を冷却した後でないと、機器を収納具に収納できないようになっている。すなわち、投映装置の撤収作業に時間がかかるという問題があった。
【０００６】
さらに、投映装置を収納具に収納した際には、高熱、高温といった投映装置の安全面の問題と性能面の問題が新たに生ずるとともに、収納具に対する安全面の問題等も新たに生ずることとなった。
【０００７】
そこで、本発明は、上記のような近年技術の問題点に鑑み、投映装置を使用した後、迅速に撤収することができる投映装置及びその収納具を提示することを目的とする。
【０００８】
また、本発明は、安全性を保証し、性能の劣化が少なく、収納具に対する安全性も保証する投映装置及びその収納具を提示することを目的とする。
【課題を解決するための手段】
【０００９】
上記の目的を達成するために、本発明に係る投映装置は、収納具に収納可能な投映装置であって、光源を含む光学部と、前記光学部を冷却する冷却装置と、前記光学部に電力を供給する第１の電力供給回路と、前記冷却装置に電力を供給する第２の電力供給回路と、前記投映装置が前記収納具に収納されたことを検知する収納検知手段と、前記収納検知手段による前記収納具への収納の検知に従い、前記第２の電力供給回路は接続したまま、前記第１の電力供給回路を切断することを特徴とする。
【００１０】
本発明に係る収納具は、上述の投映装置を収納する収納具であって、収納された前記投映装置の排熱開口と対向する排熱開口を具備することを特徴とする。
【発明の効果】
【００１１】
本発明によれば、収納状態を検知した場合、第２の電力供給回路は接続したまま、第２の電力供給回路を切断するようにしたので、投映装置を使用した後、冷却作用を動作させたままで、迅速に撤収することができる。これにより、投映装置の安全性を保証することができ、性能の劣化が少なく、収納具に対する安全性も保障できる。
【発明を実施するための最良の形態】
【００１２】
以下、図面を参照して、本発明の実施例を詳細に説明する。
【実施例１】
【００１３】
図１は、本発明の第１実施例の概略構成ブロック図である。図１において、１０は液晶プロジェクター等の投映装置である。投映装置１０は光学部１２を有しており、光学部１２は、光源１２ａ、液晶パネル１２ｂ、光学出力部１２ｃ及び図示しないレンズ群等を含む。
【００１４】
投映装置１０は冷却装置としてのファン１４を有し、ファン１４は回転することにより気流を作り、光学部１２を冷却する。投映装置１０の外装には、放熱用開口１６として１つまたは複数の通気孔があけられている。光学部１２から流れてくる熱気を帯びた気流は、放熱用開口１６から投映装置１０の外部へ逃がされることとなる。
【００１５】
投映装置１０は、制御をつかさどる制御部１８を有し、制御部１８は光学部１２及びファン１４を制御し、投映装置１０の全般を制御する。２０は投映装置１０の電源スイッチである。制御ブ１８は、電源スイッチ２０のオン／オフを検知すると、投映装置１０を動作状態／停止状態に制御する。
【００１６】
映像信号入力コネクタ２２に映像信号ケーブル２４を結合することにより、映像信号が投映装置１０に入力される。すなわち、映像信号ケーブル２４の他端に接続する外部パソコン２６から出力された映像信号が、映像信号入力コネクタ２２を経由して投映装置１０に入力される。
【００１７】
映像信号入力コネクタ２２を経由して、投映装置１０に入力された映像信号は、制御部１８の制御下で、図示しない液晶パネル駆動部に送られ、光学部１２内の液晶パネル１２ｂに映像信号の示す画像が描画される。描画画像は、光源１２ａの光で、図示しないレンズ群等を通して光学出力部１２ｃからスクリーンに投映される。
【００１８】
投映装置１０の電源系は、次のようになっている。多くの住宅、オフィス等にある交流電源のコンセント２８にプラグ３０を差し込むことにより、投映装置１０のＡＣ／ＤＣ電源回路３８に、電源ケーブル３２、電源ケーブル３２の他端のＡＣコネクタ３４及び装置側ＡＣコネクタ３６を介して商用交流電力が供給される。ＡＣ／ＤＣ電源回路３８は、交流電圧を直流電圧に変換し、充電器４０及び投映装置１０の各部に供給する。ＡＣ／ＤＣ電源回路３８は、充電器４０に直流電力を供給する直流安定化電源として働く。制御部１８は、ＡＣ／ＤＣ電源回路３８の交流入力電圧及び直流出力電圧を監視する。
【００１９】
充電器４０は、二次電池４２を充電する制御回路を持ち、直流電力を電池４２が収納される電池ソケット４４を介して供給し電池４２に供給する。すなわち、充電器４０は、ＡＣ／ＤＣ電源回路３８から電力供給があれば、常に電池４２を満充電に保つように動作する。電池ソケット４４からも投映装置１０の各部への電力供給配線があり、電池４２からも投映装置１０の各部に直流電力を供給できる。なお、電池４２は、ＡＣ／ＤＣ電源回路３８のバックアップ電源として動作してもよいし、また、電池４２を主電源とし、電池４２のみによって投映装置１０を駆動するようにしてもよい。
【００２０】
次に、投映装置１０内の給電系を説明する。光学部１２内の光源１２ａへの給電は、ＡＣ／ＤＣ電源回路３８からＳw３、Ｓw１及びＳw２を順に経由して給電する回路と、電池４２からＳw３、Ｓw１及びＳw２を順に経由して給電する回路とが、選択的で並列に存在する。さらに、制御部１８がスイッチＳｗ３を切り替えることで、ＡＣ／ＤＣ電源回路３８から給電するか、電池４２から給電するか、またはいずれからも給電しないかを選択できる。このような制御は、制御部１８からの信号をリレー、パワートランジスタへ伝達し、動作させることにより実現できる。
【００２１】
スイッチＳw１は、投映装置１０が後述する収納具（キャリングケース）４６に収納されたことを検知するスイッチであり、機械スイッチ４８ａと機械的に連動する。機械スイッチ４８ａは、投映装置１０のへこみ部５０に配置された押しボタン方式のスイッチからなる。機械スイッチ４８ａがスイッチ解除部５２を押し上げることにより、スイッチＳｗ１はオフにされる。押し上げる力が機械スイッチ４８ａに作用していない場合、スイッチＳｗ１は、バネ又はゴム等の弾力によりオン状態に維持される。スイッチＳw２は、制御部１８の制御によりオン／オフする。スイッチＳｗ２のオン／オフ動作の制御は、スイッチＳw３と同様に、制御部１８からの信号をリレー、パワートランジスタへ伝達し、動作させることにより実現できる。
【００２２】
ファン１４への給電は、ＡＣ／ＤＣ電源回路３８からスイッチＳw３を経由して給電する回路と、電池４２からスイッチＳw３を経由して給電する回路とが、選択的で並列に存在する。スイッチＳw３の制御は上述したので、説明は省略する。
【００２３】
制御部１８は、図示しない給電回路により、常時、給電されている。制御顔路１８の消費する電力は、ファン１４に供給される電力と光学部１２に供給される電力とを比べてみると、充分小さい。勿論、制御部１８が省電力モードにある場合、電力消費はさらに小さくなる。
【００２４】
投映装置１０を収納する収納具４６の構成を説明する。図２は、投映装置１０を収納具４６に収納した状態の項星図を示す。収納具４６はの下筐体５４は、投映装置１０が定位置に収容でき、且つ外部からの衝撃を吸収できるような肉厚に形成されている。下筐体５４に投映装置１０がはさみこまれることにより、収納具４６内で投映装置１０が固定されている。また、下筐体５４は、外側からの衝撃を吸収可能であり、収納具４６を持ち運ぶ際の衝撃等から内部にある投映装置１０を守る働きもしている。
【００２５】
さらに、収納具４６の外装の、放熱用開口１６に対応する位置に放熱用開口５６が設けられている。即ち、放熱用開口５６は、投映装置１０を収納した場合に、投映装置１０の放熱用開口１６に対面する位置に設けられている。放熱用開口１６と同様に、放熱用開口５６もまた、１つまたは複数の通気孔からなる。従って、収納具４６内に投映装置１０を収納した状態でも、投映装置１０内のファン１４による気流は、放熱用開口１６から投映装置１０の外部へ排出され、さらに放熱用開口５６から収納具４６の外部に排出される。
【００２６】
下筐体５４の内面の底には、突起部５８が形成されている。突起部５８は、投映装置１０が収納具４６に収納された状態で、投映装置１０のへこみ部５０に嵌合する。突起部５８とへこみ部５０とが正確に嵌合しないと、投映装置１０は、収納具４６に正しく収納できないようになっている。収納具４６に投映装置１０が正しく収納された場合、収納具４６の突起部５８は、収納された投映装置１０のへこみ部５０に形成されている機械スイッチ４８ａを押し上げる。これにより、スイッチＳｗ１は開放され、投映装置１０は、収納具４６に収納されたことを検知する。
【００２７】
収納具４６に投映装置１０を収納する際には、一体不可分に結合された電源ケーブル３２、プラグ３０及びコネクタ３４は、投映装置１０のＡＣコネクタ３６からコネクタ３４を外して、投映装置１０の上部に別途収納できるようになっている。この状態で、収納具４６の図示しない蓋を閉めることができる。蓋を閉め、ロックすることにより、収納具４６の上部に形成された把手部６０を持って、収納具４６に収納された投映装置１０を運搬することが可能である。
【００２８】
次に、投映装置１０の動作を説明する。図３は、投映装置１０の動作を示すフローチャートである。  まず、投映装置１０が収納部４６と分離された状態で投映装置１０の電源が入っていない状態を考える。電源が入っていない場合、Ｓw２がオフの状態であり、Ｓw３もオフの状態にあり、制御部１８は、省電力モードで動作している。ここで、Ｓｗ３のオフ状態とは、ＡＣ／ＤＣ電源回路３８の側でもなく、電池４２の側でもない状態で、中立の状態をいう。また、機械スイッチ４８ａは、押し上げられずに下がった状態にあり、これによりＳw１がオンの状態にある。
【００２９】
この状態で制御部１８は、電源スイッチ２０がオンになったか否かを判別する（Ｓ１１）。電源スイッチ２０のオンを検出すると、制御部１８は、ＡＣ／ＤＣ電源回路３８が正常に直流電力を出力しているか否かを判別する（Ｓ１２）。ＡＣ／ＤＣ電源回路３８は、ＡＣ／ＤＣ電源回路３８の出力電圧をしきい値と比較し、出力電圧がしきい値以上の場合に、ロジックＨを制御部１８に供給する。（図１、図２の破線）。制御部１８は、ＡＣ／ＤＣ電源回路３８からのこの信号により、ＡＣ／ＤＣ電源回路３８が正常に直流電力を出力しているかを確認する。
【００３０】
ＡＣ／ＤＣ電源回路３８が直流電力を出力していると判断した場合、制御部１８は、ＡＣ／ＤＣ電源回路３８の出力電圧側にスイッチＳｗ３を切り替える（Ｓ１３）。Ｓ１３において、スイッチＳw１はオン状態にあるので、ＡＣ／ＤＣ電源回路３８からファン１４に給電する給電回路が通じ、ファン１４が回転して光源１２ａを冷却する。
【００３１】
一方、ＡＣ／ＤＣ電源回路３８が直流電力を出力していないと判断した場合、制御部１８は、電池４２の出力電圧側にスイッチＳｗ３を切り替える（Ｓ１４）。Ｓ１４において、Ｓw１はオン状態にあるので、電池４２からファン１４に給電する給電回路が通じ、ファン１４が回転して光源１２ａを空冷する。光源１２ａの周囲の熱を帯びた空気は、ファン１４により開口１６から外部に排出される。
制御部１８は省電力モードを脱して通常モードに入り、通常動作を開始する。
【００３２】
そして、制御部１８は、スイッチＳw２をオンにする。これにより、光源１２ａに給電する給電回路が通じ、光源１２ａに電力が供給される（Ｓ１５）。すなわち、光源１２ａが点灯し、光学部１２のその他各部分が動作する。
【００３３】
パソコン２６から出力され、映像信号入力コネクタ２２を経由して投映装置１０に入力された映像信号の示す画像が、液晶パネル１２ｂに描画される。液晶パネル１２ｂに光源１２ａから図示しないレンズ群等を通して照射することにより、液晶パネル１２ｂに描画される画像が、光学出力部１２ｃからその先にある図示しない外部スクリーンに投映される（Ｓ１６）。電源スイッチ２０がオフにされるまで、継続して入力される映像信号の示す画像が、光学部１２からスクリーンに投映される。液晶パネル１２ｂに繰り返し描画する。
【００３４】
次に、投映装置１０の投映動作を終了し、使用者が投映装置１０を収納具４６へ収納する場合を考える。図４において、終了動作の第１段階のフローチャートを示す。
【００３５】
投映装置１０を収納具４６に収納するか否かに関わらず、使用者は、電源スイッチ２０をオフにする。制御部１８は、電源スイッチ２０がオフになったか否かを判別する（Ｓ２１）。電源スイッチ２０がオフならば、制御部１８は、スイッチＳw２をオフにして、光源１２ａへの電力供給を止め、省電力モードに入る（Ｓ２２）。電力供給がされないと、光源１２ａを消灯し、光学部１２の各部分はその動作を停止し、投映装置１０の投映動作が終了する（Ｓ２２）。
【００３６】
撮影動作の終了と同時にファン１４を停止しまうと、光源１２ａは高熱になってしまうので、これらが充分に冷却されるまでファン１４を駆動する必要がある。本実施例では、Ｓ２２において、撮影動作終了後でもファン１４に給電する給電回路が通じたままであるので、ファン１４は動作し続ける。
【００３７】
制御部１８は、光学部１２の各部分の動作が停止した後、内蔵するタイマを起動する（Ｓ２３）。タイマは、規定の時間が経過すると、制御部１８に割り込みで知らせる。
【００３８】
使用者が投映装置１０を収納具４６に収納する場合、交流電源のコンセント２８からプラグ３０をはずす。さらに、装置側ＡＣコネクタ３６から電源ケーブル付ＡＣコネクタ３４をはずし、電源ケーブル３２を収納具４６へ収納しようとする。投映装置１０内のＡＣ／ＤＣ電源回路３８は、交流電力が入力されないので、直流電力を出力しなくなる。制御部１８は、直流電力出力状態を示すＡＣ／ＤＣ電源回路３８からの信号に従い（Ｓ２４）、電池４２から給電するようにスイッチＳｗ３を切り替える（Ｓ２５）。
【００３９】
すなわち、電源スイッチ２０がオフされ、なおかつプラグ３０がコンセント２８から外された状態では、投映装置１０のファン１４は、電池４２を電源として動作しており、光源１２ａを含む光学部１２は、動作していない状態となる。投映装置１０は収納できる状態となるから、使用者はこの状態で投映装置１０を収納具４６に収納する。使用者が投映装置１０を収納具４６に収納された場合、突起部５８によって機械スイッチ４８ａが押し上げられるので、スイッチＳｗ１がオフになる。これにより、何らかの理由で仮にスイッチＳｗ２がオン状態であったとしても、確実に光学部１２の動作を停止させることができる。この状態でも、ファン１４は回転しており、光源１２ａを冷却している。
【００４０】
本実施例では、投映装置１０を収納具４６に収納することでスイッチＳw１がオフにする機構が、光源１２ａへの電力供給に対するフェールセーフの役割を果たす。電源スイッチ２０をオフにせずに投映装置１０を収納具４６に収納する場合と、制御部１８が、電源スイッチ２０のオフに対して、誤動作によりスイッチＳｗ２をオンのままにした場合を想定できる。
【００４１】
図５は、本実施例の終了動作の第２段階のフローチャートを示す。図４に示す動作フローにより、投映装置１０が収納部４６に収納された後も、投映装置１０のファン１４は動作しつづけ、熱は放熱用開口５６を通過し、収納具４６の外部に排出されている。使用者は、この状態で持ち運び等を始めることが可能である。すなわち、ファン１４が動作しつづけていても、使用者は収納動作を終えて、他のことを始めることができる。
【００４２】
この状態では、制御部１８は、ステップＳ２３で起動されたタイマからの割り込みを待機する（Ｓ３１）。タイマの経過時間は、光源１２ａが充分に冷却されるまでの時間に設定されている。光源１２ａへの電力供給をやめてから、光源１２ａが充分に冷却されるまでの時間を、予め実験等で求めておき、その時間をタイマにセットしておく。
【００４３】
タイマからの割り込みを検知すると（Ｓ３１）、制御部１８は、その割り込みをクリアするとともに、スイッチＳw３をオフ状態にセットする（Ｓ３２）。これにより、光学部１２及びファン１４が停止し、投映装置１０は、実質的に電源オフ状態になる。但し、制御部１８は、省電力モードで動作している。
【００４４】
なお、ファン１４を停止するタイミングを、光源１２ａの消灯からの予め定めた一定時間としたが、投映装置１０内の実際の温度を測定し、一定の温度まで下がったことを検知したら、スイッチＳw３をオフ状態に制御しても良い。
【００４５】
本実施例では、光源１２ａへの給電回路とファン１４への給電回路を別に設け、光源１２ａへの給電回路のみを切断できるようにし、また、収納具４６内へ収納により、光学部１２への給電回路を遮断するようにしたので、投映装置１０の安全性を保証し、性能の劣化もなく、収納具４６に対する安全性も保証することができる。さらに、収納時に、投映装置１０にある放熱用開口１６と収納具４６にある放熱用開口５６とつながるように配置したので、排熱動作中も収納可能であり、持ち運ぶこともできる。
【実施例２】
【００４６】
図６は、本発明の第２実施例における投映装置が収納具に収納された状態の概略構成図を示す。図１に示す実施例と同じ構成要素には同じ符号を付してある。第１実施例とは異なる動作部分を説明する。
【００４７】
第２実施例の投映装置１０ａでは、スイッチＳｗ１を省略して短絡し、一端を抵抗６２を介してロジック電源に接続し、他端を接地したスイッチＳｗＡを設ける。制御部１８ａは、抵抗６２とスイッチＳｗAの接続部の電圧レベル（論理レベル）を監視している。スイッチＳｗＡは、常時は閉成されており、投映装置１０ａを収納具４６に収納したときに押し上げられる機械スイッチ４８ａにより開放される。
【００４８】
この構成により、制御部１８ａは、投映装置１０ａが収納具４６に正しく収納されたか否かを検出できる。例えば、制御部１８ａは、投映装置１０ａが収納具４６に収納されている場合には、ロジックＨを検知し、投映装置１０ａが収納具４６に収納されていない場合には、ロジックＬを検知する。
第２実施例では、スイッチＳｗAにより投映装置１０ａが収納具４６の収納されていることを検出した場合に、制御部１８ａは、スイッチＳw２を開放する。
【実施例３】
【００４９】
図７は、本発明の第３実施例における投映装置１０ｂが収納具４６ｂに収納された状態の概略構成図を示す。図１に示す実施例と同じ構成要素には同じ符号を付してある。第１実施例とは異なる動作部分を説明する。
【００５０】
図７に示す実施例では、機械スイッチ４８ａの代わりに、収納検知手段として投映装置１０ｂの周囲の明暗を検知する光センサ４８ｃを投映装置１０ｂの外側に露出する箇所に配置する。収納具４６ｂの突起部５８と、投映装置１０ｂのへこみ部５０は、収納位置を正確に決める役割を果たす。
【００５１】
投映装置１０ｂが収納具４６ｂに収納されている状態では、光センサ４８ｃに光が入射しないが、収納具４６ｂに投映装置１０ｂが収納されていない状態では、周囲の光が入射する。光センサ４８ｃは周囲の明るさに応じた電圧信号を制御部１８ｂに供給する。制御部１８ｂは、光センサ４８ｃの出力電圧から、投映装置１０ｂが収納具４６ｂに収納されたか否かを検知でき、制御部１８ｂは、光センサ４８の出力電圧が暗状態を示す場合には、スイッチＳｗ２を開放する。制御部１８ｂは、光センサ４８ｃの出力電圧値ではなく、その変化に応答してもよい。
【００５２】
投映装置１０ｂは暗室で使用されることが多く、その場合、投映装置１０ｂが収納具４６ｂに収納されていなくても、光センサ４８ｃの出力電圧が低い。このままでは、制御部１８ｂが収納状態と勘違いする可能性がある。そこで、光センサ４８ｃの出力電圧が低い場合に、制御部１８ｂは、スイッチＳw２をオフにした後に、きわめて短時間にわたりスイッチＳw２を１回又は複数回、オンにする。これにより、光学出力部１２ｃは、外部に光を出力する。投映装置１０ｂが収納具４６ｂに収納されていれば、光センサ４８ｃはこの出力光を検出できないが、投映装置１０ｂが収納具４６ｂから取り出されていれば、光センサ４８ｃは、この出力光の漏れを検出できる。制御部１８ｂは、スイッチＳｗ２のオン／オフに連動して光センサ４８ｃの出力電圧を検知することで、投映装置１０ｂが収納具４６ｂに収納されているか否かを確認できる。
【００５３】
より簡易的には、収納具４６ｂから取り出された状態では、光センサ４８ｃの出力に応じてスイッチＳｗ２をオフする動作を無効にする切り替えスイッチ等を設ければよい。
【００５４】
また、収納検知としてフォトインタラプタを用いて、収納具４６ｂの下筐体５４方向に光をあて、反射した光を受光素子で検知するようにすれば、投映装置１０ｂが収納具４６ｂに収納されているか否かを、暗室でも正しく判断できる。
【図面の簡単な説明】
【００５５】
【図１】本発明の第１実施例における投映装置の概略構成ブロック図である。
【図２】第１実施例における投映装置が収納具に収納された状態の概略構成図である。
【図３】第１実施例における投映装置の電源投入時の動作フローチャートである。
【図４】投映装置の終了動作の第１段階のフローチャートである。
【図５】投映装置の終了動作の第２段階のフローチャートである。
【図６】本発明の第２実施例における投映装置が収納具に収納された状態の概略構成図である。
【図７】本発明の第３実施例における投映装置が収納具に収納された状態の概略構成図である。
【符号の説明】
【００５６】
１０，１０ａ，１０ｂ  投映装置
１２  光学部
１２ａ  光源
１２ｂ  液晶パネル
１２ｃ  光学出力部
１４  ファン
１６  放熱用開口
１８，１８ａ，１８ｂ  制御部
２０  電源スイッチ
２２  映像信号入力コネクタ
２４  映像信号ケーブル
２６  外部パソコン
２８  コンセント
３０  プラグ
３２  電源ケーブル
３４  電源ケーブル付ＡＣコネクタ
３６  装置側ＡＣコネクタ
３８  ＡＣ／ＤＣ電源回路
４０  充電器
４２  電池
４４  電池ソケット
４６，４６ｂ  収納具（キャリングケース）
４８ａ  機械スイッチ（収納検知手段）
４８ｂ  機械スイッチ（収納検知手段）
４８ｃ  光センサ（収納検知手段）
５０  へこみ部
５２  スイッチ解除部
５４  下筐体
５６  放熱用開口
５８  突起部
６０  把手部
６２  抵抗
Ｓw１，Ｓw２ ，Ｓw３，ＳｗA  スイッチ
【図１】
2006301060.tif 000003
【図２】
2006301060.tif 000004
【図３】
2006301060.tif 000005
【図４】
2006301060.tif 000006
【図５】
2006301060.tif 000007
【図６】
2006301060.tif 000008
【図７】
2006301060.tif 000009